(57)【要約】【課題】  スライド操作部に照光部材を簡単に取り付けられ、かつスライド操作部が移動しても照明むらが生じない照光付きスライド型電気部品を提供する。【解決手段】  スライド移動可能に保持される２方向用のスライダ５と、２方向用のスライダ５と一体的に移動するように保持される光源７と、給電パターンが設けられる回路基板３と、２方向用のスライダ５と一体的に移動し、光源７に接続される接続部１０３と、前記給電パターン上を摺動する接点部１０１を有するＬＥＤ点滅用可動接点１００と、光源７を保持し、２方向用のスライダ５に保持される基台９とを備えた。【選択図】        図２
2006054078.tif 000002
【特許請求の範囲】
【請求項１】
スライド移動可能に保持されるスライド操作部と、
前記スライド操作部と一体的に移動するように保持される照光部材と、
給電パターンが設けられる固定部と、
前記スライド操作部と一体的に移動し、前記照光部材に接続される接続部と、前記給電パターン上を摺動する接点部を有する摺動子片と、
前記照光部材を保持し、前記スライド操作部に保持される基台とを備えたことを特徴とする照光付きスライド型電気部品。
【請求項２】
請求項１において、前記基台に前記照光部材を保持した部分と前記摺動子片との接続部との間を接続する導電パターンを設け、前記照光部材と前記摺動子片とを電気的に接続したことを特徴とする照光付きスライド型電気部品。
【請求項３】
請求項１において、前記摺動子片を前記スライド操作部に設けた収納部に差し込んで保持するとともに、前記スライド操作部の、前記摺動子片の差し込み方向と直交する方向の側面に前記基台の挿入を許容する挿入部を設けたことを特徴とする照光付きスライド型電気部品。
【発明の詳細な説明】
【技術分野】
【０００１】
本発明は、
照光付きスライド型電気部品に関する。
【背景技術】
【０００２】
従来、車両等に用いられるスライドスイッチの照光構造として、特許文献１（以下、従来例と称する）、特許文献２（以下、別の従来例と称する）の構成が公知であり、従来例を図８乃至図１１に、別の従来例を図１２に示す。
【０００３】
まず、従来例を説明すると、図８乃至図１１において、２００はケースのうちの上部ケース、２１０はケースのうちの下部ケース（若しくはホルダ）である。この下部ケース２１０の中仕切板２１１にはターミナル２１２が固定されていると共に、この中仕切板２１１には光源２２０が着脱可能に取り付けられている。
【０００４】
２３０は前記上部ケース２００及び下部ケース２１０と別体のインナーケース、２４０は絶縁製の回路基板である。この回路基板２４０は、例えばプリントサーキットボード（Ｐ．Ｃ．Ｂ）からなる。この回路基板２４０の上面には導電製の導体がプリント印刷で設けられている。
【０００５】
２５０は４方向用のスイッチのスライダである。この４方向用のスライダ２５０は前記上部ケース２００内であって前記インナーケース２３０と前記回路基板２４０との間において４方向にスライド可能に配置されている。
【０００６】
２６０は４方向用のスイッチのアクチュエータである。このアクチュエータ２６０はケース（上部ケース２００及び下部ケース２１０及びインナーケース２３０）に４方向に傾倒可能に支持され、かつ前記４方向用のスライダ２５０を４方向にスライド操作することとなる。
【０００７】
また、このアクチュエータ２６０の係合部２６１の下面が前記回路基板２４０の小正方形の透孔２４１を介して１個の光源２２０と対向する。アクチュエータ２６０は、前記１個の光源２２０からの光を後述する４方向用の切替ノブ２８０のマーク２８１まで透過させる透過体をも構成する。
【０００８】
２８０は４方向用のスイッチの切替ノブである。この４方向用の切替ノブ２８０は、前記アクチュエータ２６０の軸部２６２の上端に嵌合固定されている。２９０は４方向用のスイッチの自動復帰用スプリングである。
【０００９】
３００は２方向用のスイッチのスライダである。この２方向用のスライダ３００は、上面のほぼ中央には操作棒部３０１が上方に垂直に一体に突設されている。この２方向用のスライダ３００の下面には底側が開口した中空状の円筒形をなす４本の収納部３０２が一体に設けられている。この２方向用のスライダ３００は上部ケース２００内であって、その上部ケース２００と回路基板２４０の上面との間に直線方向にスライド可能に配置されている。
【００１０】
また、この２方向用のスライダ３００の下面が前記回路基板２４０の小長方形の透孔２４１を介して後述する導光体３１０に対向する。この２方向用のスライダ３００は、２方向スイッチの一部品を構成すると共に、前記１個の光源２２０からの光を導光体３１０を介して２方向用の切替ノブ３２０のマーク３２１まで透過させる透過体をも構成する。
【００１１】
この２方向用の切替ノブ３２０は前記２方向用のスライダ３００の操作棒部３０１の上端に嵌合固定されている。この２方向用の切替ノブ３２０は、例えば光透過性の合成樹脂製（アクリル樹脂（ＰＭＭＡ：ポリメチルメタクリレート））からなり、ほぼＬ字形状をなす。この２方向用の切替ノブ３２０の頂部のほぼ中央には光透過性のマーク３２１が設けられている。前記１個の光源２２０からの光で後述する導光体３１０により導かれかつ透過体としての２方向用のスライダ３００中を透過した光によって上述のマーク７３２１光るように構成する。
【００１２】
３５０及び３６０は切替機構としてのボール及びスプリングである。このスプリング３６０は２方向用のスライダ３００の一側面に圧縮された状態で収納され、一方ボール３５０は圧縮状態のスプリング３６０と上部ケース２００の内面に設けた切替溝（図示せず）との間に設けられている。この切替機構は、２方向用の切替ノブ３２０及び２方向用のスライダ３００が中立位置及び第１位置及び第２位置に位置している状態を保持し、かつ２方向用の切替ノブ３２０及び２方向用のスライダ３００の切替の節度感を付与するものである。
【００１３】
３７０は２方向用のスイッチのコンタクトである。この２方向用のコンタクト３７０は、４個の接点用のコイルスプリング３７１と、２枚のプレートコンタクト３７２と、４個の接点ボール３７３とからなる。この２方向用のコンタクト３７０の４個の接点ボール３７３は、コイルスプリング３７１によりプレートコンタクト３７２を介して前記回路基板２４０上を常時圧接されており、前記２方向用の切替ノブ３２０の２方向の操作によって前記２方向用のスライダ３００を介して前記回路基板２２０上を直線方向の２方向に移動し、その回路基板２４０の固定接点と接触して、第１回路、第２回路をそれぞれ構成する。
【００１４】
３１０は導光体である。この導光体３１０は、無色透明の光透過性の合成樹脂製（アクリル樹脂）からなり、前記１個の光源２２０からの光を前記２方向用のスライダ３００を介して前記２方向用の切替ノブ３２０のマーク３２１を光らせるものである。この導光体３１０は、前記下部ケース２１０の中仕切板部２１１の上面と前記電気回路基板２４０の下面との間の空間に収納されており、水平な導光部３１１と、この導光部３１１の一端に設けられ、前記１個の光源２２０に対向したＬ字形状をなす受光面３１２と、この導光部３１１の他端に設けられ、前記回路基板２４０の小長方形の透孔２４１に嵌入されて前記２方向用のスライダ３００の下面と対向する長方形の投光部３１３と、を備える。
【００１５】
この従来例の照光付きスライド型電気部品は、以上の如き構成からなり、以下その操作作動について説明する。まず、２方向用のスイッチの操作において、中立位置に位置する２方向用の切替ノブ３２０を左側（図１０中の一点鎖線）又は右側（図１０中の実線）に移動させると、その２方向用の切替ノブ３２０の移動操作力が２方向用のスライダ３００に伝達され、その２方向用のスライダ３００も上部ケーシング２００と回路基板２４０との間において同方向にスライドし、その２方向用のスライダ３００が第１位置又は第２位置に位置する。
【００１６】
そして、従来例の照光付きスライド型電気部品は、１個の光源２２０を点灯すると、その１個の光源２２０からの一部の光は、電気回路基板２４０の小正方形の透孔２４１を通過して透明なアクチュエータ２６０の下面から上面まで進み、かつ４方向用の切替ノブ２８０中を経て４方向用のマーク２８１に達してこの４方向用のマーク２８１を光らせる。一方、他の光は、導光体３１０の受光面から導光部３１１を経て投光部３１３に達し、この投光部３１３から透明な２方向用のスライダ３００の下面から上面まで進み、かつ２方向用の切替ノブ３２０中を経て２方向用のマーク３２１に達してこの２方向用のマーク３２１を光らせる。
【００１７】
次に、別の従来例を説明すると、図１２に示すように、５００は発光ダイオード等の照光部、５０１は照光部５００を上端にインサートして保持した操作部（つまみ）、５０２は操作部５０１の下面に設けられた給電用摺動子である。
【００１８】
そして、この操作部５０１は図示していないが筐体内に操作部５０１の上部を突出させかつ摺動自在に収納されている。操作部５０１の給電用摺動子５０２は前記筐体内底面上に形成された固定接点パターン上を摺動し、給電される。
【特許文献１】特開平９−１０２２３４号公報
【特許文献２】実開平１−１６０８０６号公報
【発明の開示】
【発明が解決しようとする課題】
【００１９】
このような従来の照光付きスライド型電気部品では、２方向用のスライダ３００の下面と対向する導光体３１０の長方形の投光部３１３の長手方向と、２方向用のスライダ３００のスライド方向とが合致するので、図１０に示すように、２方向用の切替ノブ３２０を直線方向に左右に切り替えても、導光体３１０の長方形の投光部３１３は常時２方向用のスライダ３００の下面と対向して１個の光源２２０からの光を２方向用のスライダ３００を介して２方向用の切替ノブ３２０に供給する。この結果、２方向用のスイッチとしてスライド式のスイッチ機構を使用しても、この２方向用の切替ノブ３２０のマーク３２１を常時光らせている。
【００２０】
この従来例においては、２方向用のスライダ３００のスライドの区間全域にわたって照光を行うので、余分なところまで照光する必要があり、効率が悪く、また、２方向用のスライダ３００が中央・左右位置に移動するので、光源２２０からの距離が変化し照明むらが生じるという問題がある。
【００２１】
また、別の従来例のスライド型電気部品においては、操作部５０１に照光部５００を保持し、筐体（固定部）に設けた給電パターンに接続するため上記問題はないが、この別の従来例においては、照光部５００を操作部５０１の上部にインサートするため、コストが高く、また、照光部５００としてＬＥＤを組み込む際にＬＥＤを操作部５０１に挿通させるので、作業性が悪いという問題がある。
【００２２】
本発明の目的は、スライド操作部に照光部材を簡単に取り付けられ、かつスライド操作部が移動しても照明むらが生じない照光付きスライド型電気部品を提供することにある。
【課題を解決するための手段】
【００２３】
上述の目的を達成するために、本発明の照光付きスライド型電気部品は、スライド移動可能に保持されるスライド操作部と、前記スライド操作部と一体的に移動するように保持される照光部材と、給電パターンが設けられる固定部と、前記スライド操作部に一体的に移動し、前記照光部材に接続される接続部と、前記給電パターン上を摺動する接点部を有する摺動子片と、前記照光部材を保持し、前記スライド操作部に保持される基台とを備えた構成にしてある。
【００２４】
かかる構成により、照光部材を基台に保持し、これをスライド操作部に保持したので、スライド操作部に照光部材を簡単に取り付けられ、かつスライド操作部が移動しても照明むらが生じない。
【００２５】
また、上述の発明の照光付きスライド型電気部品において、前記基台に前記照光部材を保持した部分と前記摺動子片との接続部との間を接続する導電パターンを設け、前記照光部材と前記摺動子片とを電気的に接続した構成にしてある。
【００２６】
また、上述の発明の照光付きスライド型電気部品において、前記摺動子片を前記スライド操作部に設けた収納部に差し込んで保持するとともに、前記スライド操作部の、前記摺動子片の差し込み方向と直交する方向の側面に前記基台の挿入を許容する挿入部を設けた構成にしてある。
【００２７】
かかる構成により、照光部材を保持した基台と摺動子片をスライド操作部材に簡単に保持できかつ摺動子片と基台との電気的接続を半田づけなしで行える。
【発明の効果】
【００２８】
本発明は、照光部材を基台に保持し、これをスライド操作部に保持したので、スライド操作部に照光部材を簡単に取り付けられ、かつスライド操作部が移動しても照明むらが生じない。
【００２９】
本発明は、照光部材を保持した基台と摺動子片をスライド操作部材に簡単に保持できかつ摺動子片と基台との電気的接続を半田づけなしで行える。
【発明を実施するための最良の形態】
【００３０】
以下、本発明の照光付きスライド型電気部品の一実施例を図面に基づいて説明する。
【実施例】
【００３１】
発明の実施の形態について図面を参照して説明すると、図１は本発明の実施例に係る照光付きスライド型電気部品を示す平面図、図２は図１の２−２線に沿った断面図、図３は図１の３−３線に沿った断面図、図４は図１に示す照光付きスライド型電気部品の分解斜視図、図５は図２の要部拡大図、図６は図４に示す基台の平面図、図７は図４に示す基台の底面図である。
【００３２】
図１〜図７において、１はケースのうちの上部ケースである。この上部ケース１は、例えば合成樹脂製等からなり、底が開口した中空状をなす。この上部ケース１の上部の上面のほぼ中央には正方形の透孔（図示せず）が設けられており、この透孔の内周面にはアクチュエータ（図示せず）を４方向にガイドするガイド部（図示せず）が設けられている。また、この上部ケース１の上部の一端側には長方形の透孔１１が設けられ、また、上部ケース１の上部の一端側には円形の透孔（図示せず）が設けられて左右のミラー開閉用ボタン１４０が装着されている。
【００３３】
また、この上部ケース１の相対向する２側壁の下部には長方形の係合孔１２が設けられている。
【００３４】
２はケースのうちの下部ケース（若しくはホルダ）である。この下部ケース２は、例えば合成樹脂製からなり、前記上部ケース１の底部開口部より一回り小さく、また上面が凹んだ形状をなす。この下部ケース２の相対向する２側部には長方形の係合突起２１が前記上部ケース１の係合孔１２に対応して一体に突設されている。この下部ケース２は前記上部ケース１の底開口部に圧入されていると共に、この下部ケース２の係合突起２１が上部ケース１の係合孔１２に係合して、上部ケース１と下部ケース２とが一体に組み付けられている。
【００３５】
この下部ケース２の上部には回路基板（固定部）３が配設されている。この回路基板３は、例えばプリントサーキットボード（Ｐ．Ｃ．Ｂ）からなる。この回路基板３の上面には導電製の導体からなる後述するＬとＲのマーク８１の位置に対応した信号を出力し、スライド方向に所定の間隔を隔てて配置される左右切り換えパターンと、後述する切替ノブ８の移動する全域において後述するＬＥＤ点滅用可動接点１００が摺動する給電パターンがプリント印刷で設けられている。この回路基板３は、前記上部ケース１内であって、前記上部ケース１の下端と前記下部ケース２の上面開口部の周縁の上面との間において固定されている。
【００３６】
４は４方向用のスイッチの切替ノブである。この４方向用の切替ノブ４は、前記アクチュエータの軸部の上端に嵌合固定されている。この４方向用の切替ノブ４は、例えば光透過性の合成樹脂製（アクリル樹脂（ＰＭＭＡ：ポリメチルメタクリレート））からなり、正四角錐形をなす。この４方向用の切替ノブ４の切替操作する４方向の４箇所には光透過性のマーク４１がそれぞれ設けられている。この光透過性のマーク４１は、４方向用の切替ノブ４の外面のうちマーク４１以外の部分に不透明な塗料を塗装して形成する。そして、図示しないケースに固定した光源からの光によって上述のマーク４１が光るように構成する。
【００３７】
５は２方向用のスイッチのスライダ（スライド操作部）である。この２方向用のスライダ５は、例えば透明な合成樹脂製（無色透明なアクリル樹脂）からなり、ほぼブロック形状をなす。この２方向用のスライダ５の上面のほぼ中央には四角筒状の保持部５１が上方に垂直に一体に突設されている。この保持部５１には導光体６を嵌め込んでおり、この導光体６は保持部５１内の貫通孔に合わせた直方体状で、下面が断面半円形状に形成されて光源（照光部材）７に対向している。また、導光体６の上端は三角形状に凹んでほぼＶ字状の反射面とされ、その上端部に嵌合固定されたノブ８内に光源７の光を反射して導くようになっている。
【００３８】
また、２方向用のスライダ５の一側面には基台９を挿入して保持する収納部（挿入部）５２と、前記収納部５２に連続し、該基台９上に実装した光源７を収納する収納部（挿入部）５３とが設けられている。この収納部５３は、保持部５１の貫通孔に連通しており、光源７の光が保持部５１内の導光体７を通ってノブ８のマーク８１を照光するようになっている。
【００３９】
２方向用のスライダ５はその下面両側部に凹部５４が形成され、凹部５４にＬＲ（左右）切換用可動接点１１０が収納されている。ＬＲ（左右）切換用可動接点１１０は板状の導電板を折り曲げ形成され、その下端が下方の回路基板３のスイッチパターン上を摺動する。
【００４０】
また、２方向用のスライダ５にはその下面両側部に凹部５５が形成され、凹部５５にＬＥＤ点滅用可動接点１００が収納されている。この凹部５５は、その一側面上部寄りに突設されてＬＥＤ点滅用可動接点１００の上先端の係止部１０２が係止される係止部５５１と、基台９を収納する収納部５３に連通する開口部５５２と、一側面上部近傍に突設され上面と側面との間に隙間を介在させた突部５５３とが設けられている。また、この凹部５５は上述したように開口部５５２で前記収納部５２と連通しており、開口部５５２から凹部５５内に基台９の下面が露出している。
【００４１】
ＬＥＤ点滅用可動接点（摺動子片）１００は板状の導電板を折り曲げ形成され、その下板部下端の接点部１０１が下方の回路基板３の給電パターン上を摺動する。また、屈曲した上板部はその先端が係止部５５１に係止される係止部１０２とされ、また、上板部の中央部分が段状に上方に屈曲されて接続部１０３とされている。そして、図５に示すように、ＬＥＤ点滅用可動接点１００の係止部１０２を係止部５５１に係止し、ＬＥＤ点滅用可動接点１００の屈曲部分のクランク状部分を突部５５３のテーパー面と当接させて、回りの隙間部分に押圧して挿入しスライダ５に嵌め込むと、接続部１０３は収納部５５内に進出して取り付けられる。その後、収納部５５に挿入される基台９の下面にＬＥＤ点滅用可動接点１００の接続部１０３が圧接される。したがって、凹部５５に収納されたＬＥＤ点滅用可動接点１００の接続部１０３が、収納部５５に挿入された基台９の回路パターンの接続部９２に接続されている。なお、この際、基台３はＬＥＤ点滅用可動接点１００の弾性アーム１０４の根本方向から挿入されこれを撓めるので、不所望の変形が生じることがない。
【００４２】
また、２方向用のスライダ５のスライド方向に沿った一側面には、後述する切替機構としてのボール１２０及びスプリング１３０が収納される円形状の収納部５６が形成されている。
【００４３】
この２方向用のスライダ５は上部ケース１内であって、その上部ケース１と回路基板３の上面との間に直線方向にスライド可能に配置されている。この２方向用のスライダ５の保持部５１が上部ケース１の長方形の透孔１１中を挿通して上部ケース１の外側に突出している。
【００４４】
６は導光体である。この導光体６は、例えば耐熱性を有し、かつ無色透明の光透過性の合成樹脂製（アクリル樹脂）からなり、前記光源７からの光を前記２方向用のスライダ５の保持部５１内を経て前記２方向用の切替ノブ８のマーク８１を光らせるものである。
【００４５】
８は２方向用のスイッチの切替ノブである。この２方向用の切替ノブ８は、例えば光透過性の合成樹脂製（アクリル樹脂（ＰＭＭＡ：ポリメチルメタクリレート））からなる。この２方向用の切替ノブ８は前記２方向用のスライダ５の保持部５１の上端に嵌合固定されている。この２方向用の切替ノブ８の表面両端寄りには光透過性のマーク８１がそれぞれ設けられている。この光透過性のＬとＲのマーク８１は、２方向用の切替ノブ８の外面のうちマーク８１以外の部分に不透明な塗料を塗装して形成する。又は、２方向用の切替ノブ８を、マーク８１に対応する部分を光透過性の合成樹脂で、その他の部分を不透明な合成樹脂で、二色成形により形成する。すなわち、２方向用のスライダ５に内蔵した光源７からの光が導光体６を経てノブ８に導かれてマーク８１が光るように構成されている。
【００４６】
９は基台で、図６に示すようにその表面に光源７を載置し半田付けする２つのランド部９１が形成され、これらランド部９１以外の面はレジストによるコートが施さられている。また、９２は裏面のパターンに接続するためのスルーホールである。また、基台９の裏面は、図７に示すように、前記ＬＥＤ点滅用可動接点１００の接続部１０３が圧接され電気的にそれぞれ接続される接続部９３が形成されている。この裏面も接続部９３以外の面はレジストによるコートが施さられている。
【００４７】
１２０及び１３０は切替機構としてのボール及びスプリングである。このスプリング１３０は２方向用のスライダ５の一側面の収納部５６に圧縮された状態で収納され、一方ボール１２０は圧縮状態のスプリング１３０と上部ケース１の内面に設けた切替溝（図示せず）との間に設けられている。この切替溝は、中央のＶ字谷部（図示せず）と、そのＶ字谷部の両側の第１山部（図示せず）及び第２山部（図示せず）と、その第１山部及び第２山部から延設した第１傾斜面（図示せず）及び第２傾斜面（図示せず）とからなる。一方、前記ボール１２０は前記スプリング１３０により前記切替溝に押し付けられている。そして、この切替機構において、ボール１２０がＶ字谷部に位置するときには２方向用のスライダ５が中立位置に位置し、ボール１２０が第１傾斜面に位置するときには２方向用のスライダ５が第１位置（たとえば、Ｌ位置）に位置し、ボール１２０が第２傾斜面に位置するときには２方向用のスライダ５が第２位置（たとえば、Ｒ位置）に位置するものである。この切替機構は、２方向用の切替ノブ８及び２方向用のスライダ５が中立位置及び第１位置及び第２位置に位置している状態を保持し、かつ２方向用の切替ノブ８及び２方向用のスライダ５の切替の節度感を付与するものである。
【００４８】
この実施例における本発明の照光付きスライド型電気部品は、以上の如き構成からなり、以下その要部の組立てについて説明する。
【００４９】
図５に示すように、ＬＥＤ点滅用可動接点１００の係止部１０２を係止部５５１に係止し、ＬＥＤ点滅用可動接点１００の屈曲部分のクランク状部分を突部５５３のテーパー面と当接させて、回りの隙間部分に押圧して挿入しスライダ５に嵌め込むと、接続部１０３は収納部５５内に進出して取り付けられる。一方、基台９の表面には、リード線を持たないチップＬＥＤからなる光源７がリフロー半田工程によって面実装して取り付けられたものを用意し、これの基台９の裏面がＬＥＤ点滅用可動接点１００の接続部１０３に向くようにし、スライダ５の側面に設けた収納部５２の間口端から奥方向にガイド部に沿って移動させる。すると、収納部５５に挿入される基台９の下面にＬＥＤ点滅用可動接点１００の接続部１０３が圧接される。したがって、凹部５５に収納されたＬＥＤ点滅用可動接点１００の接続部１０３が、収納部５５に挿入された基台９の回路パターンの接続部９２に接続されている。同時に、接続部１０３による弾性によって使用状態における基台９の移動が阻止される。
【００５０】
次に、その操作作動について説明する。
【００５１】
まず、２方向用のスイッチの操作において、図２に示す中立位置に位置する２方向用の切替ノブ８を左側又は右側に移動させると、その２方向用の切替ノブ８の移動操作力が２方向用のスライダ５に伝達され、その２方向用のスライダ５も上部ケース１と回路基板３との間において同方向にスライドし、その２方向用のスライダ５が第１位置又は第２位置に位置し、それに伴ってＶ字谷部に位置するボール１２０がスプリング１３０のばね力に抗して一旦下がりながら第１山部又は第２山部を乗り越して第１傾斜面又は第２傾斜面に位置する。このボール１２０の山部を乗り越え谷部に落ち込む際に節度感が得られる。上述の２方向用のスライダ５のスライドに伴って、ＬＥＤ点滅用可動接点１００及びＬＲ切換用可動接点１１０も回路基板３上を同方向にスライドして、ＬＲ切換用可動接点１１０が接する左右切換えパターン切換わり第１回路又は第２回路に切り替わる。
【００５２】
次に、第１位置又は第２位置に位置する２方向用の切替ノブ８を中立位置に移動させると、２方向用のスライダ５が第１位置又は第２位置から中立位置にスライドし、それに伴ってボール１２０が第１傾斜面又は第２傾斜面から第１山部又は第２山部を乗り越えてＶ字谷部に位置し、一方、２方向用のＬＥＤ点滅用可動接点１００及びＬＲ切換用可動接点１１０も同方向にスライドし、第１回路又は第２回路に切り替えられているＬＲ切換用可動接点１１０がどちらの切換えパターンにも接していない中立状態に切り替わる。なお、ＬＥＤ点滅用可動接点１００は上記スライド動作によって回路基板３の給電パターンに常時接するようにしてその上を摺動しており、常に給電パターンからＬＥＤ点滅用可動接点１００の接点部１０１を経て、接続部１０３と接続されている基台９の接続部９２を通ってスルーホール９２からランド部９１に接続された光源７に給電しているので常にＬとＲのマーク８１は照光されている。
【００５３】
上述のように、例えば、２方向用の切替ノブ８が左（Ｌ）側に切り替えられていて２方向用のスイッチが第１回路を構成している状態で、４方向用の切替ノブ４を上側に傾倒させて第１回路を構成すると、左側のミラー面が上側に傾倒し、また４方向用の切替ノブ４を下側に傾倒させて第２回路を構成すると、左側のミラー面が下側に傾倒し、さらに４方向用の切替ノブ４を左側に傾倒させて第３回路を構成すると、左側のミラー面が左側に傾倒し、さらにまた４方向用の切替ノブ４を右側に傾倒させて第４回路を構成すると、左側のミラー面が右側に傾倒する。次に、２方向用の切替ノブ８が右（Ｒ）側に切り替えられていて２方向用のスイッチが第２回路を構成している状態で、４方向用の切替ノブ４を上側に傾倒させて第１回路を構成すると、右側のミラー面が上側に傾倒し、また４方向用の切替ノブ４を下側に傾倒させて第２回路を構成すると、右側のミラー面が下側に傾倒し、さらに４方向用の切替ノブ４を左側に傾倒させて第３回路を構成すると、右側のミラー面が左側に傾倒し、さらにまた４方向用の切替ノブ４を右側に傾倒させて第４回路を構成すると、右側のミラー面が右側に傾倒する。
【００５４】
また、２方向用の切替ノブ８が中立位置に切替えられている状態においては、４方向用の切替ノブ４をいずれの方向に傾倒してもミラーは動かず誤って操作されてしまうのを防ぐことができる。
【００５５】
そして、本発明の照光付きスライド型電気部品は、２方向用のスライダ５に内蔵された光源７に、２方向用のスライダ５をスライドさせると、回路基板３上を摺動するＬＥＤ点滅用可動接点１００により給電して点灯すると、２方向用のスライダ５をどの位置にスライドさせていても光源７を発光させることができる。そして、光源７の光は、光源７に対向した導光体６を経て２方向用の切替ノブ８のマーク８１を光らせる。この結果、２方向用の切替ノブ８のマーク８１が常時光るので、切替操作する箇所が誤るような虞が無い。
【００５６】
なお、本発明は前記実施例に限らず、基台を２方向用のスライダに挿入したのち、光源（ＬＥＤ）を基台に取り付けてもよく、あるいは、光源を実装した基台を２方向用のスライダに挿入したのち、凹部に組み込んだＬＥＤ点滅用可動接点を基台裏面のパターンに半田付けするようにしてもよく、あるいは、基台に光源を実装するとともにＬＥＤ点滅用可動接点を基台に保持させて半田付けしてもよい。
【００５７】
このように構成された前記実施例にあっては、スライド移動可能に保持される２方向用のスライダ５と、２方向用のスライダ５と一体的に移動するように保持される光源７と、給電パターンが設けられる回路基板３と、２方向用のスライダ５と一体的に移動し、光源７に接続される接続部１０３と、前記給電パターン上を摺動する接点部１０１を有するＬＥＤ点滅用可動接点１００と、光源７を保持し、２方向用のスライダ５に保持される基台９とを備え、また、基台９に光源７を保持した部分とＬＥＤ点滅用可動接点１００との接続部１０３との間を接続する導電パターンを設け、光源７とＬＥＤ点滅用可動接点１００とを電気的に接続したため、２方向用のスライダ５に光源７を簡単に取り付けられ、かつ２方向用のスライダ５が移動しても照明むらが生じない。
【００５８】
また、前記実施例にあっては、ＬＥＤ点滅用可動接点１００を２方向用のスライダ５に設けた凹部５５に差し込んで保持するとともに、２方向用のスライダ５の、ＬＥＤ点滅用可動接点１００の差し込み方向と直交する方向の側面に基台９の挿入を許容する挿入部（収納部６２，６３）を設けたため、光源７を保持した基台９とＬＥＤ点滅用可動接点１００を２方向用のスライダ５に簡単に保持できかつＬＥＤ点滅用可動接点１００と基台９との電気的接続を半田づけなしで行える。
【図面の簡単な説明】
【００５９】
【図１】本発明の実施例に係る照光付きスライド型電気部品を示す平面図である。
【図２】図１の２−２線に沿った断面図である。
【図３】図１の３−３線に沿った断面図である。
【図４】図１に示す照光付きスライド型電気部品の分解斜視図である。
【図５】図２の要部拡大図である。
【図６】図４に示す基台の平面図である。
【図７】図４に示す基台の底面図である。
【図８】従来の照光付きスライド型電気部品の縦断面図である。
【図９】図８の照光付きスライド型電気部品の分解斜視図である。
【図１０】図８の照光付きスライド型電気部品のスライド式の２方向スイッチの切替ノブのスライド状態と導光体の投光部との相対位置関係を示した一部平面図である。
【図１１】図８の照光付きスライド型電気部品の導光体中の光路を示した説明平面図である。
【図１２】別の従来の照光付きスライド型電気部品を示す断面図である。
【符号の説明】
【００６０】
３  回路基板
５  ２方向用のスライダ
７  光源
９  基台
５５  凹部
６２，６３  収納部
１００  ＬＥＤ点滅用可動接点
１０１  接点部
１０３  接続部
【図１】
2006054078.tif 000003
【図２】
2006054078.tif 000004
【図３】
2006054078.tif 000005
【図４】
2006054078.tif 000006
【図５】
2006054078.tif 000007
【図６】
2006054078.tif 000008
【図７】
2006054078.tif 000009
【図８】
2006054078.tif 000010
【図９】
2006054078.tif 000011
【図１０】
2006054078.tif 000012
【図１１】
2006054078.tif 000013
【図１２】
2006054078.tif 000014